(57)【要約】      （修正有）【課題】ユーザーが意識することなく錠を遠隔制御することができるセキュリティ遠隔制御システムを提供する。【解決手段】携帯端末１００は自装置の位置を検出できる位置情報検出部１１２を備え、所定の領域から外へ出た場合、錠３０１の状態を通知するように指示する第一電子メール１５１を自動的に送信する。センターサーバー２００は、第一電子メール１５１を受信した場合、鍵ユニット３００を介して錠３０１の状態を確認し、錠３０１の状態を示す状態通知メール２５１を携帯端末１００へ送信する。錠３０１が解錠状態の場合、携帯端末１００は、錠３０１を施錠するように指示する第二電子メール１５２をセンターサーバー２００へ自動的に送信する。センターサーバー２００は、第二電子メール１５２を受信した場合、錠３０１を施錠するように指示する施錠指示信号２６２を鍵ユニット３００へ送信し、鍵ユニット３００は錠３０１を施錠する。【選択図】図１
2005155205.tif 000002
【特許請求の範囲】
【請求項１】
携帯端末と、
前記携帯端末と通信可能に接続されたセンターサーバーと、
前記センターサーバーと通信可能に接続され、錠の状態を制御する鍵ユニットと
を具備し、
前記携帯端末は、自装置の位置を検出できる位置情報検出部を備え、ユーザーの特定する特定位置を含む所定の領域から外へ出た場合、前記錠の状態を通知するように指示する第一電子メールを前記センターサーバーへ自動的に送信し、
前記センターサーバーは、前記第一電子メールを受信した場合、前記鍵ユニットを介して前記錠の状態を確認し、前記錠の状態を示す状態通知メールを前記携帯端末へ送信する
セキュリティ遠隔制御システム。
【請求項２】
請求項１において、
前記センターサーバーは、前記第一電子メールを受信した場合、前記錠の状態を確認するように指示する状態確認信号を前記鍵ユニットへ送信し、
前記鍵ユニットは、前記状態確認信号を受信した場合、前記錠の状態を調査し、調査結果を示す結果信号を前記センターサーバーへ送信し、
前記センターサーバーは、前記結果信号に基づいて、前記錠の状態を示す状態通知メールを前記携帯端末へ送信する
セキュリティ遠隔制御システム。
【請求項３】
請求項１又は２において、
前記携帯端末は、受信した前記状態通知メールに基づき前記錠の状態が解錠状態であると判断した場合、前記錠を施錠するように指示する第二電子メールを前記センターサーバーへ自動的に送信し、
前記センターサーバーは、前記第二電子メールを受信した場合、前記錠を施錠するように指示する施錠指示信号を前記鍵ユニットへ送信し、前記錠を施錠したことを示す施錠通知メールを前記携帯端末へ送信する
セキュリティ遠隔制御システム。
【請求項４】
請求項３において、
前記携帯端末は、
記憶部と、
位置情報比較部と
を更に具備し、
前記第一電子メールと、前記第二電子メールと、前記特定位置を示す特定位置情報と、前記位置情報検出部によって検出される端末位置情報は、前記記憶部に格納され、
前記位置情報比較部は、前記特定位置情報と前記端末位置情報を比較し、比較結果に従って前記第一電子メールを前記センターサーバーへ送信する
セキュリティ遠隔制御システム。
【請求項５】
請求項３又は４において、
前記センターサーバーは、
前記携帯端末のユーザーの識別情報と前記鍵ユニットの識別番号とを関連付けて格納するデータベースを有し、
前記第一電子メールあるいは前記第二電子メールに含まれるメールアドレスに基づき、前記ユーザーの前記識別情報を前記データベースから抽出し、
抽出された前記識別情報に対応する前記識別番号に基づき、前記鍵ユニットを特定する
セキュリティ遠隔制御システム。
【請求項６】
請求項１乃至５のいずれかにおいて、
前記鍵ユニットは、
錠と、
前記錠の状態を制御する制御信号を前記センターサーバーから受信する通信部と、
前記制御信号に従い前記錠の状態を自動的に制御する制御部と
を具備する
セキュリティ遠隔制御システム。
【請求項７】
位置情報検出部と、
位置情報比較部と
を具備し、
前記位置情報検出部は、自装置の位置としての端末位置を検出し、
前記位置情報比較部は、ユーザーの特定する特定位置と前記端末位置を比較し、前記特定位置と前記端末位置との距離が所定の値以上になると、前記特定位置にある錠を管理するセンターサーバーへ、前記錠の状態を通知するように指示する第一電子メールを自動的に送信する
携帯端末。
【請求項８】
請求項７において、
前記センターサーバーから前記錠の状態を通知する状態通知メールを受信し、前記状態通知メールに基づき前記錠の状態が解錠状態であると判断された場合、前記錠を施錠するように指示する第二電子メールを前記センターサーバーへ自動的に送信する
携帯端末。
【請求項９】
通信部と、
データベースと、
制御部と
を具備し、
前記通信部は、携帯端末、及び前記携帯端末のユーザーが特定する特定位置に存在し錠の状態を制御する鍵ユニットに対して通信を行い、
前記データベースは、前記携帯端末のユーザーの識別情報と前記鍵ユニットの識別番号とを関連付けて格納し、
前記制御部は、前記錠の状態を通知するように指示する第一電子メールを前記携帯端末から前記通信部を介して受信すると、前記第一電子メールに含まれるメールアドレスに基づき、前記ユーザーの前記識別情報を前記データベースから抽出し、
前記制御部は、抽出された前記識別情報に対応する前記識別番号に基づき、前記鍵ユニットを特定し、前記錠の状態を調査するように指示する状態確認信号を、前記通信部を介して前記鍵ユニットへ送信する
センターサーバー。
【請求項１０】
請求項９において、
前記制御部は、前記錠を施錠するように指示する第二電子メールを前記携帯端末から前記通信部を介して受信すると、前記第二電子メールに含まれるメールアドレスに基づき、前記ユーザーの前記識別情報を前記データベースから抽出し、
前記制御部は、抽出された前記識別情報に対応する前記識別番号に基づき、前記鍵ユニットを特定し、前記錠を施錠するように指示する施錠指示信号を、前記通信部を介して前記鍵ユニットへ送信する
センターサーバー。
【請求項１１】
自装置の位置を検出できる携帯端末と、
前記携帯端末と通信可能に接続されたセンターサーバーと、
前記センターサーバーと通信可能に接続され、錠の状態を制御する鍵ユニットと
を具備するセキュリティ遠隔制御システムにおいて、
（ａ）前記携帯端末のユーザーが、前記鍵ユニットが存在する位置を示す特定位置情報を、前記携帯端末に登録するステップと、
（ｂ）前記ユーザーが、前記錠の状態を通知するように指示する第一電子メールを、前記携帯端末に登録するステップと、
（ｃ）前記ユーザーが、前記錠を施錠するように指示する第二電子メールを、前記携帯端末に登録するステップと、
（ｄ）前記携帯端末が、前記特定位置を含む所定の領域から外へ出た場合、前記第一電子メールを前記センターサーバーへ自動的に送信するステップと、
（ｅ）前記センターサーバーが、前記第一電子メールに従い前記鍵ユニットを介して前記錠の状態を確認し、前記錠の状態を示す状態通知メールを前記携帯端末へ送信するステップと
を具備する
セキュリティ遠隔制御方法。
【請求項１２】
請求項１１において、
（ｆ）前記携帯端末が、受信した前記状態通知メールに基づき前記錠の状態が解錠状態であると判断した場合、前記第二電子メールを前記センターサーバーへ自動的に送信するステップと、
（ｇ）前記センターサーバーが、前記第二電子メールに従い前記錠を施錠するように指示する施錠指示信号を前記鍵ユニットへ送信し、前記錠を施錠したことを示す施錠通知メールを前記携帯端末へ送信するステップと
を更に具備する
セキュリティ遠隔制御方法。
【請求項１３】
請求項１１又は１２において、
前記（ｅ）ステップは、
（ｅ−１）前記センターサーバーが、前記第一電子メールを受信した時、前記錠の状態を確認するように指示する状態確認信号を前記鍵ユニットへ送信するステップと、
（ｅ−２）前記鍵ユニットが、前記状態確認信号に従い前記錠の状態を調査し、調査結果を示す結果信号を前記センターサーバーへ送信するステップと、
（ｅ−３）前記センターサーバーが、前記結果信号に基づいて、前記錠の状態を示す前記状態通知メールを前記携帯端末へ送信するステップを含む
セキュリティ遠隔制御方法。
【発明の詳細な説明】
【技術分野】
【０００１】
本発明は、携帯端末による遠隔制御システムに関し、特に携帯端末によるセキュリティ遠隔制御システム及びセキュリティ遠隔制御方法に関する。
【背景技術】
【０００２】
携帯端末を使用し自宅玄関の扉を施錠・解錠する住宅セキュリティシステムが知られている。例えば、特許文献１に開示された扉の施解錠方法によれば、携帯電話のユーザーは、公衆電話回線を通じて自動錠前に施解錠信号を直接送信することにより、扉を施錠または解錠する。そのため、その自動錠前は、主電話機と接続される。あるいは、その自動錠前は、携帯電話からの電波を直接受信する受信装置を備える。これにより、扉を遠隔操作により施解錠することが可能となり、専用の錠を所持する面倒が解消される。
【０００３】
特許文献２に開示された集合住宅におけるＰＨＳシステムによれば、集合住宅は、独自の無線ネットワークと、そのネットワーク上での無線通信を管理する情報交換センターと、住居の扉を制御する電気設備管理装置を備える。集合住宅の入居者は、ＩＤ番号が付与されたＰＨＳ端末を用いて、扉の施錠状態の確認、施錠・解錠の要求を情報交換センターに送信する。情報交換センターは、そのＩＤ番号を照会し、その要求が実行されるように電気設備管理装置を指示する。これにより、マンション等の集合住宅における施錠管理が確実になる。
【０００４】
また、携帯端末を使用し、自宅の家電製品などを遠隔制御するホームオートメーションシステムが知られている。特許文献３に開示された携帯電話機は、ＧＰＳ（Ｇｌｏｂａｌ  Ｐｏｓｉｔｉｏｎｉｎｇ  Ｓｙｓｔｅｍ）衛星からの電波を受信し自機の現在位置を取得するＧＰＳ受信手段を備え、且つ、ユーザーが設定する自宅位置情報と目標範囲情報とを記憶する。この携帯電話機は、目標範囲から出たり、目標範囲に入った時、自宅の電話機に発信し、ホームオートメーション対応機器を自動的に制御する。これにより、例えば、ユーザーが自宅に近づいた時にエアコンをＯＮさせたり、自宅から遠ざかった時にエアコンをＯＦＦさせたりすることが可能となる。
【０００５】
特許文献４に開示された携帯電話機は、ＧＰＳを用いて自機の現在位置情報を取得する位置情報取得手段と、記憶手段を備える。記憶手段には、特定の場所の位置情報と、その特定の場所からの一定の距離を示す距離情報と、その特定の場所に設置された電気機器を制御する制御信号が登録される。この携帯電話機は、現在位置情報に基づき、特定の場所から一定の距離内に近づいた時に、その制御信号を特定の場所に自動的に送信する。これにより、ユーザーは、帰宅時間よりも前に電気機器をＯＮ状態に自動的に遠隔制御することが可能となる。
【０００６】
【特許文献１】特開平１０−２９２６８８号公報
【特許文献２】特開２００１−７９３４号公報
【特許文献３】特開２００２−４４２７１号公報
【特許文献４】特開２００２−３４０８０号公報
【発明の開示】
【発明が解決しようとする課題】
【０００７】
本発明の課題は、ユーザーが意識することなく、特定位置の錠の状態を制御することができる携帯端末、セキュリティ遠隔制御システム及びセキュリティ遠隔制御方法を提供することである。
【０００８】
本発明の他の課題は、施錠状態にある錠に対して施錠信号を送信することを防止することができる携帯端末、セキュリティ遠隔制御システム及びセキュリティ遠隔制御方法を提供することである。
【０００９】
本発明の更に他の課題は、セキュリティサービスを提供する業者あるいはサービス内容の変更に対して、ユーザーが柔軟に対応することができる携帯端末、セキュリティ遠隔制御システム及びセキュリティ遠隔制御方法を提供することである。
【課題を解決するための手段】
【００１０】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００１１】
本発明のセキュリティ遠隔制御システムは、携帯端末（１００）と、センターサーバー（２００）と、錠（３０１）の状態を制御する鍵ユニット（３００）とを備える。センターサーバー（２００）は、携帯端末（１００）及び鍵ユニット（３００）と通信可能に接続される。携帯端末（１００）は、自装置の位置を検出できる位置情報検出部（１１２）を備える。携帯端末（１００）は、ユーザーの特定する特定位置を含む所定の領域から外へ出た場合、錠（３０１）の状態を通知するように指示する第一電子メール（１５１）をセンターサーバー（２００）へ自動的に送信する。センターサーバー（２００）は、第一電子メール（１５１）を受信した場合、鍵ユニット（３００）を介して錠（３０１）の状態を確認し、錠（３０１）の状態を示す状態通知メール（２５１）を携帯端末（１００）へ送信する。
【００１２】
本発明のセキュリティ遠隔制御システムにおいて、センターサーバー（２００）は、第一電子メール（１５１）を受信した場合、錠（３０１）の状態を確認するように指示する状態確認信号（２６１）を鍵ユニット（３００）へ送信する。鍵ユニット（３００）は、状態確認信号（２６１）を受信した場合、錠（３０１）の状態を調査し、その調査結果を示す結果信号（３６１）をセンターサーバー（２００）へ送信する。センターサーバー（２００）は、結果信号（３６１）に基づいて、錠（３０１）の状態を示す状態通知メール（２５１）を携帯端末（１００）へ送信する。
【００１３】
本発明のセキュリティ遠隔制御システムにおいて、携帯端末（１００）は、受信した状態通知メール（２５１）に基づいて、錠（３０１）の状態を判断する。錠（３０１）が解錠状態であると判断された場合、携帯端末（１００）は、錠（３０１）を施錠するように指示する第二電子メール（１５２）をセンターサーバー（２００）へ自動的に送信する。センターサーバー（２００）は、第二電子メール（１５２）を受信した場合、錠（３０１）を施錠するように指示する施錠指示信号（２６２）を鍵ユニット（３００）へ送信する。また、センターサーバー（２００）は、錠（３０１）を施錠したことを示す施錠通知メール（２５２）を携帯端末（１００）へ送信する。
【００１４】
本発明のセキュリティ遠隔制御システムにおいて、携帯端末（１００）は、記憶部（１３０）と、位置情報比較部（１１３）とを更に備える。記憶部（１３０）は、第一電子メール（１５１）と、第二電子メール（１５２）と、特定位置を示す特定位置情報（１４２）と、位置情報検出部（１１２）によって検出される端末位置情報（１４１）を格納する。位置情報比較部（１１３）は、特定位置情報（１４２）と端末位置情報（１４１）を比較し、比較結果に従って第一電子メール（１５１）をセンターサーバー（２００）へ送信する。
【００１５】
本発明のセキュリティ遠隔制御システムにおいて、センターサーバー（２００）は、データベース（２４１）を有する。データベース（２４１）は、携帯端末（１００）のユーザーの識別情報と鍵ユニット（３００）の識別番号とを関連付けて格納する。センターサーバー（２００）は、第一電子メール（１５１）あるいは第二電子メール（１５２）に含まれるメールアドレスに基づき、ユーザーの識別情報をデータベース（２４１）から抽出し、抽出された識別情報に対応する識別番号に基づき、鍵ユニット（３００）を特定する。
【００１６】
本発明のセキュリティ遠隔制御システムにおいて、鍵ユニット（３００）は、錠（３０１）と、通信部（３１１）と、制御部（３２０）とを備える。通信部（３１１）は、錠（３０１）の状態を制御する制御信号（２６１、２６２）をセンターサーバー（２００）から受信する。制御部（３２０）は、制御信号（２６１、２６２）に従い、錠（３０１）の状態を自動的に制御する。
【００１７】
本発明の携帯端末（１００）は、位置情報検出部（１１２）と、位置情報比較部（１１３）とを具備する。位置情報検出部（１１２）は、自装置（１００）の位置としての端末位置を検出する。位置情報比較部（１１３）は、ユーザーの特定する特定位置と端末位置を比較する。特定位置と端末位置との距離が所定の値以上になった場合、携帯端末（１００）は、錠（３０１）の状態を通知するように指示する第一電子メール（１５１）を、錠（３０１）を管理するセンターサーバー（２００）へ自動的に送信する。また、センターサーバー（２００）から錠（３０１）の状態を通知する状態通知メール（２５１）を受信し、錠（３０１）が解錠状態であると判断された場合、携帯端末（１００）は、錠（３０１）を施錠するように指示する第二電子メール（１５２）をセンターサーバー（２００）へ自動的に送信する。
【００１８】
本発明のセンターサーバー（２００）は、通信部（２１１）と、データベース（２４１）と、制御部（２２０）とを備える。通信部（２１１）は、携帯端末（１００）、及び携帯端末（１００）のユーザーが特定する特定位置に存在し錠（３０１）の状態を制御する鍵ユニット（３００）に対して通信を行う。データベース（２４１）は、携帯端末（１００）のユーザーの識別情報と、鍵ユニット（３００）の識別番号とを関連付けて格納する。制御部（２２０）は、錠（３０１）の状態を通知するように指示する第一電子メール（１５１）を携帯端末（１００）から通信部（２１１）を介して受信すると、第一電子メール（１５１）に含まれるメールアドレスに基づき、ユーザーの識別情報をデータベース（２４１）から抽出する。また、制御部（２２０）は、抽出された識別情報に対応する識別番号に基づき、鍵ユニット（３００）を特定し、錠（３０１）の状態を調査するように指示する状態確認信号（２６１）を、通信部（２１１）を介して鍵ユニット（３００）へ送信する。更に、制御部（２２０）は、錠（３０１）を施錠するように指示する第二電子メール（１５２）を携帯端末（１００）から通信部（２１１）を介して受信すると、第二電子メール（１５２）に含まれるメールアドレスに基づき、ユーザーの識別情報をデータベースから抽出する。制御部（２２０）は、抽出された識別情報に対応する識別番号に基づき、鍵ユニット（３００）を特定し、錠（３０１）を施錠するように指示する施錠指示信号（２６２）を、通信部（２１１）を介して鍵ユニット（３００）へ送信する。
【００１９】
本発明のセキュリティ遠隔制御方法は、（ａ）携帯端末（１００）のユーザーが、鍵ユニット（３００）が存在する位置を示す特定位置情報（１４２）を、携帯端末（１００）に登録するステップと、（ｂ）ユーザーが、錠（３０１）の状態を通知するように指示する第一電子メール（１５１）を、携帯端末（１００）に登録するステップと、（ｃ）ユーザーが、錠（３０１）を施錠するように指示する第二電子メール（１５２）を、携帯端末（１００）に登録するステップと、（ｄ）携帯端末（１００）が、特定位置を含む所定の領域から外へ出た場合、第一電子メール（１５１）をセンターサーバー（２００）へ自動的に送信するステップと、（ｅ）センターサーバー（２００）が、第一電子メール（１５１）に従い鍵ユニット（３００）を介して錠（３０１）の状態を確認し、錠（３０１）の状態を示す状態通知メール（２５１）を携帯端末（１００）へ送信するステップとを備える。
【００２０】
本発明のセキュリティ遠隔制御方法において、上記（ｅ）ステップは、（ｅ−１）センターサーバー（２００）が、第一電子メール（１５１）を受信した時、錠（３０１）の状態を確認するように指示する状態確認信号（２６１）を鍵ユニット（３００）へ送信するステップと、（ｅ−２）鍵ユニット（３００）が、状態確認信号（２６１）に従い錠（３０１）の状態を調査し、調査結果を示す結果信号（３６１）をセンターサーバー（２００）へ送信するステップと、（ｅ−３）センターサーバー（２００）が、結果信号（３６１）に基づいて、錠（３０１）の状態を示す状態通知メール（２５１）を携帯端末（１００）へ送信するステップを含む。
【００２１】
本発明のセキュリティ遠隔制御方法は、（ｆ）携帯端末（１００）が、受信した状態通知メール（２５１）に基づき錠（３０１）の状態が解錠状態であると判断した場合、第二電子メール（１５２）をセンターサーバー（２００）へ自動的に送信するステップと、（ｇ）センターサーバー（２００）が、第二電子メール（１５２）に従い錠（３０１）を施錠するように指示する施錠指示信号（２６２）を鍵ユニット（３００）へ送信し、錠（３０１）を施錠したことを示す施錠通知メール（２５２）を携帯端末（１００）へ送信するステップとを更に備える。
【発明の効果】
【００２２】
本発明の携帯端末、セキュリティ遠隔制御システム及びセキュリティ遠隔制御方法によれば、ユーザーは、意識することなく特定位置の錠の状態を制御することができる。
【００２３】
本発明の携帯端末、セキュリティ遠隔制御システム及びセキュリティ遠隔制御方法によれば、施錠状態にある錠に対して施錠信号を送信することが防止される。
【００２４】
本発明の携帯端末、セキュリティ遠隔制御システム及びセキュリティ遠隔制御方法によれば、ユーザーは、セキュリティサービスを提供する業者あるいはサービス内容の変更に対して、柔軟に対応することができる。
【発明を実施するための最良の形態】
【００２５】
添付図面を参照して、本発明による無線携帯端末を用いたセキュリティ遠隔制御システム及びセキュリティ遠隔制御方法を説明する。
【００２６】
図１は、本発明の実施の形態に係るセキュリティ遠隔制御システムの構成を示す概略図である。このセキュリティ遠隔制御システムは、携帯端末１００とセキュリティセンター（センターサーバー）２００と鍵ユニット３００とを備える。携帯端末１００として、携帯電話やＰＨＳ（Ｐｅｒｓｏｎａｌ  Ｈａｎｄｙｐｈｏｎｅ  Ｓｙｓｔｅｍ）端末、携帯情報端末（ＰＤＡ；Ｐｅｒｓｏｎａｌ  Ｄｉｇｉｔａｌ  Ａｓｓｉｓｔａｎｃｅ）などが例示される。セキュリティセンター（センターサーバー）２００は、ユーザーにセキュリティサービスを提供する施設あるいは装置である。鍵ユニット３００は、ユーザーがセキュリティを受けたい目標物に設置され、錠３０１の状態を制御する。その目標物として、自宅や会社、車などが例示される。鍵ユニット３００として、電子錠が例示される。
【００２７】
携帯端末１００とセキュリティセンター２００、及びセキュリティセンター２００と鍵ユニット３００は通信可能なように接続される。例えば、図１に示されるように、携帯端末１００は基地局（図示されない）に無線回線で接続され、その基地局はセキュリティセンター２００にインターネット４００を介して接続される。また、セキュリティセンター２００と鍵ユニット３００は、インターネット４００を介して接続される。セキュリティセンター２００と鍵ユニット３００は、無線ＬＡＮ（Ｌｏｃａｌ  Ａｒｅａ  Ｎｅｔｗｏｒｋ）によってインターネット４００に接続されてもよい。
【００２８】
本発明のセキュリティ遠隔操作システムにおける信号の流れを説明する。ここで、ユーザーによって特定（指定）され、鍵ユニット３００が設置される位置を特定位置とする。携帯端末１００は、後述されるように自装置の位置を検出できる位置検出部を有し、特定位置を含む所定の領域の外へ出た時、状態通知依頼メール（第一電子メール）１５１をセキュリティセンター２００に自動的に送信する。状態通知依頼メール１５１は、セキュリティセンター２００に錠３０１の施錠状態を確認するように指示する電子メールである。
【００２９】
セキュリティセンター２００は、状態通知依頼メール１５１を受信すると、状態確認信号２６１を鍵ユニット３００に送信する。状態確認信号２６１は、鍵ユニット３００に錠３０１の施錠状態を調べるように指示する信号である。鍵ユニット３００は、状態確認信号２６１を受信すると、錠３０１の施錠状態を調査し、その調査結果を示す結果信号３６１をセキュリティセンター２００へ送信する。セキュリティセンター２００は、結果信号３６１を受信すると、結果信号３６１に基づき、錠３０１の施錠状態を示す状態通知メール２５１を携帯端末１００へ送信する。
【００３０】
携帯端末１００は、状態通知メール２５１を受信し錠３０１が施錠されていないと判断すると、施錠依頼メール（第二電子メール）１５２をセキュリティセンター２００に自動的に送信する。施錠依頼メール１５２は、セキュリティセンター２００に錠３０１を施錠するように指示する電子メールである。セキュリティセンター２００は、施錠依頼メール１５２を受信すると、施錠指示信号２６２を鍵ユニット３００に送信する。施錠指示信号２６２は、鍵ユニット３００に錠３０１を施錠するように指示する信号である。鍵ユニット３００は、施錠指示信号２６２を受信すると、錠３０１を施錠する。この時、セキュリティセンター２００は、錠３０１が施錠されたことを示す施錠通知メール２５２を携帯端末１００へ送信する。ユーザーは、施錠通知メール２５２を受け取り、錠３０１を閉め忘れていたことと、錠３０１が施錠されたことを知る。このように、ユーザーは、従来の技術のように意識してセキュリティセンター２００へアクセスする必要がなくなる。すなわち、ユーザーは、意識することなく、外出時にセキュリティシステムを遠隔操作することが可能となる。
【００３１】
本発明のセキュリティ遠隔制御システムは、複数のユーザーに対してセキュリティサービスを提供することができる。つまり、セキュリティセンター２００は、複数の携帯端末（１００ａ、１００ｂ、１００ｃ）、及び対応する複数の鍵ユニット（３００ａ、３００ｂ、３００ｃ）と通信可能に接続される。複数のユーザーのそれぞれに対するシステムの構成は、上記の構成と同様である。以下、携帯端末１００、セキュリティセンター２００、鍵ユニット３００について、更に詳細に構成を述べる。
【００３２】
図２は、本発明の実施の形態に係る携帯端末１００の構成を示すブロック図である。概略として、携帯端末１００は、無線部１１１、位置情報検出部１１２、位置情報比較部１１３、状態確認部１１４、表示部１１５、入力部１１６、記憶部１３０、及びそれらを制御する制御部１２０を備える。記憶部１３０が記憶するデータは、端末位置情報１４１、特定位置情報１４２、状態通知依頼メール１５１、施錠依頼メール１５２を含む。記憶部１３０は、制御部１２０の動作に関係するプログラムを格納してもよい。
【００３３】
無線部１１１は、アンテナや無線電話機能を備え、高周波無線信号を送信・受信する。表示部１１５は、携帯端末１００のユーザーに情報出力を行う。例えば、表示部１１５は、液晶表示装置（ＬＣＤ）や発光ダイオード（ＬＥＤ）を備え、送信・受信するデータや操作内容などを表示する。入力部１１６は、ユーザーがデータを携帯端末１００に入力するのに用いられる。入力部１１６として、キーパット、タッチパネル、マイクロホンなどが挙げられる。制御部１２０は、無線部１１１で送受信するディジタル信号の処理、プログラムの実行、データのやりとりなどを行う。
【００３４】
特定位置情報１４２は、ユーザーが特定しセキュリティの対象となる位置（以下、特定位置と参照される）、つまり鍵ユニット３００（図１参照）が設置される場所を示す。この特定位置情報１４２は、入力部１１６を介して、ユーザーによって予め入力される。入力された特定位置情報１４２は、制御部１２０によって記憶部１３０の中に格納される。特定位置として、自宅や会社、車が例示される。特定位置情報１４２として、住所や緯度・経度が例示される。また、特定位置情報１４２は、特定位置を含む所定の領域を示す情報であってもよい。
【００３５】
また、ユーザーは、入力部１１６を用いて、状態通知依頼メール（第一電子メール）１５１及び施錠依頼メール（第二電子メール）１５２を入力することができる。状態通知依頼メール１５１は、セキュリティセンター２００に錠３０１の施錠状態を確認するように指示する電子メールである。施錠依頼メール１５２は、セキュリティセンター２００に錠３０１を施錠するように指示する電子メールである（図１参照）。それらメール１５１、１５２は、セキュリティサービスを提供する業者（以下、サービス業者と参照される）によって指定されるフォーマットに従って作成されるのが好ましい。例えば、メールの「件名」の欄に、「施錠状態確認」や「施錠依頼」などのキーワードが入力される。入力された状態通知依頼メール１５１及び施錠依頼メール１５２は、制御部１２０によって記憶部１３０の中に格納される。
【００３６】
位置情報検出部１１２は、携帯端末１００の位置を周期的に検出する。例えば、位置情報検出部１１２は、ＧＰＳ（Ｇｌｏｂａｌ  Ｐｏｓｉｔｉｏｎｉｎｇ  Ｓｙｓｔｅｍ）受信部を備え、ＧＰＳを利用して携帯端末１００の位置を周期的に検出する。あるいは、位置情報検出部１１２は、ＰＨＳ基地局の基地局識別情報に基づいて携帯端末１００の位置を検出してもよい。検出された位置情報は、制御部１２０を介して、端末位置情報１４１として記憶部１３０に格納される。端末位置情報１４１として、携帯端末１００の緯度・経度の情報が例示される。
【００３７】
位置情報比較部１１３は、記憶部１３０に格納された端末位置情報１４１と特定位置情報１４２とを比較する。その結果、携帯端末１００が特定位置を含む所定の領域の外へ出たと判定された場合、位置情報比較部１１３は、無線部１１１を介して状態通知依頼メール１５１をセキュリティセンター２００へ送信する（図１参照）。位置情報比較部１１３として、制御部１２０によって実行されるコンピュータプログラムが例示される。
【００３８】
セキュリティセンター２００から送信された状態通知メール２５１（図１参照）は、無線部１１１によって受信され、制御部１２０を介して状態確認部１１４に送られる。状態確認部１１４は、受信した状態通知メール２５１に基づいて、錠３０１の施錠状態を確認（判定）する。その結果、錠３０１が施錠されていない状態にあると判定された場合、状態確認部１１４は、無線部１１１を介して施錠依頼メール１５２をセキュリティセンター２００へ送信する（図１参照）。状態確認部１１４として、制御部１２０によって実行されるコンピュータプログラムが例示される。
【００３９】
セキュリティセンター２００から送信された施錠通知メール２５２（図１参照）は、無線部１１１によって受信される。施錠通知メール２５２を受信したことは、表示部１１５に表示され、ユーザーに通知される。ユーザーは、施錠通知メール２５２により、錠３０１を閉め忘れていたことと、錠３０１が施錠されたことを知る。よって、ユーザーは、意識することなく、外出時にセキュリティシステムを遠隔操作することが可能となる。
【００４０】
図３は、本発明の実施の形態に係るセキュリティセンター（センターサーバー）２００の構成を示すブロック図である。セキュリティセンター２００は、通信部２１１、状態確認部２１２、施錠指示部２１３、記憶部２３０、及びそれらを制御する制御部２２０を備える。通信部２１１は、インターネット４００を介して、携帯端末１００や鍵ユニット３００に対しメールや信号の送信・受信を行う。制御部２２０は、通信部２１１で送受信するディジタル信号の処理、プログラムの実行、データのやりとりなどを行う。
【００４１】
記憶部２３０が記憶するデータは、データベース２４１、状態通知メール２５１、施錠通知メール２５２を含む。データベース２４１は、サービスを利用する顧客のデータを含む。顧客のデータとして、例えば、携帯端末１００のメールアドレスや、鍵ユニット３００の識別番号などが挙げられる。そのメールアドレスと識別番号は、関連付けられてデータベース２４１に格納される。状態通知メール２５１は、錠３０１の施錠状態を示すメールであり、携帯端末１００へ送信される。施錠通知メール２５２は、錠３０１が施錠されたことを示すメールであり、携帯端末１００へ送信される（図１参照）。記憶部２３０は、制御部２２０の動作に関係するプログラムを格納してもよい。
【００４２】
携帯端末１００から送信された状態通知依頼メール１５１（図１、図２参照）は、通信部２１１によって受信され、制御部２２０を介して状態確認部２１２に送られる。状態確認部２１２は、状態通知依頼メール１５１から、ユーザーのＩＤ情報を抽出する。ユーザーのＩＤ情報として、携帯端末１００のメールアドレスやパスワードが例示される。また、状態確認部２１２は、抽出されたユーザーのＩＤ情報に基づき、記憶部２３０に格納されたデータベース２４１から鍵ユニット３００の識別番号を抽出する。その後、状態確認部２１２は、抽出された識別番号に基づき、通信部２１１を介して状態確認信号２６１を鍵ユニット３００へ自動的に送信する。また、鍵ユニット３００から送信された結果信号３６１（図１参照）は、通信部２１１によって受信され、制御部２２０を介して状態確認部２１２に送られる。状態確認部２１２は、結果信号３６１に基づき、通信部２１１を介して状態通知メール２５１を携帯端末１００へ自動的に送信する。状態確認部２１２として、制御部２２０によって実行されるコンピュータプログラムが例示される。
【００４３】
携帯端末１００から送信された施錠依頼メール１５２（図１、図２参照）は、通信部２１１によって受信され、制御部２２０を介して施錠指示部２１３に送られる。施錠指示部２１３は、施錠依頼メール１５２から、ユーザーのＩＤ情報を抽出する。また、施錠指示部２１３は、抽出されたユーザーのＩＤ情報に基づき、記憶部２３０に格納されたデータベース２４１から鍵ユニット３００の識別番号を抽出する。その後、施錠指示部２１３は、抽出された識別番号に基づき、通信部２１１を介して施錠指示信号２６２を鍵ユニット３００へ自動的に送信する。また、施錠指示部２１３は、通信部２１１を介して施錠通知メール２５２を携帯端末１００へ自動的に送信する（図１参照）。施錠指示部２１３として、制御部２２０によって実行されるコンピュータプログラムが例示される。
【００４４】
図４は、本発明の実施の形態に係る鍵ユニット３００の構成を示すブロック図である。鍵ユニット３００は、通信部３１１、状態確認部３１２、施錠部３１３、錠３０１、及びそれらを制御する制御部３２０を備える。通信部３１１は、インターネット４００を介して、セキュリティセンター２００との間で信号の送受信を行う。制御部３２０は、通信部３１１で送受信するディジタル信号の処理、プログラムの実行、データのやりとりなどを行う。
【００４５】
セキュリティセンター２００から送信された状態確認信号２６１（図１、図３参照）は、通信部３１１によって受信され、制御部３２０を介して状態確認部３１２に送られる。状態確認信号２６１を受け取ると、状態確認部３１２は、錠３０１の施錠状態を調査する。そして、状態確認部３１２は、その調査結果を示す結果信号３６１を、通信部２１１を介してセキュリティセンター２００へ送信する。状態確認部３１２として、制御部３２０によって実行されるコンピュータプログラムが例示される。
【００４６】
セキュリティセンター２００から送信された施錠指示信号２６２（図１、図３参照）は、通信部３１１によって受信され、制御部３２０を介して施錠部３１３に送られる。施錠指示信号２６２を受け取ると、施錠部３１３は、錠３０１を施錠する。施錠部３１３として、制御部３２０によって実行されるコンピュータプログラムが例示される。
【００４７】
図５は、本発明の実施の形態に係るセキュリティ遠隔制御方法を示すフローチャートである。
【００４８】
ステップＳ１：
まず、ユーザーは、特定位置情報１４２と、セキュリティセンター２００へ自動送信されるメール（状態通知依頼メール１５１及び施錠依頼メール１５２）を、携帯端末１００に登録する。特定位置情報１４２は、ユーザーがセキュリティサービスを受けたい場所の位置を示す。
【００４９】
ステップＳ２、Ｓ３：
携帯端末１００は、自装置の位置を検出する位置情報検出部１１２を備え、端末位置情報１４１を周期的に取得する。携帯端末１００は、特定位置情報１４２と端末位置情報１４１に基づき、自装置の状態を判定する。特定位置を含む領域の外へ出た場合（ステップＳ２；Ｙｅｓ）、携帯端末１００は、状態通知依頼メール１５１をセキュリティセンター２００へ自動的に送信する（ステップＳ３）。
【００５０】
ステップＳ４：
状態通知依頼メール１５１を受信すると、セキュリティセンター２００は、状態確認信号２６１を鍵ユニット３００へ自動的に送信する。鍵ユニット３００は、状態確認信号２６１を受信すると、錠３０１の施錠状態を調査し、その調査結果を示す結果信号３６１をセキュリティセンター２００へ送信する。
【００５１】
ステップＳ５：
セキュリティセンター２００は、結果信号３６１を受信すると、錠３０１の施錠状態を示す状態通知メール２５１を携帯端末１００へ自動的に送信する。状態通知メール２５１は、携帯端末１００によって受信される。
【００５２】
ステップＳ６、Ｓ７：
携帯端末１００において、錠３０１が施錠されていると判定された場合、プロセスは終了する（ステップＳ６；Ｎｏ）。錠３０１が施錠されていないと判定された場合（ステップＳ６；Ｙｅｓ）、携帯端末１００は、施錠依頼メール１５２をセキュリティセンター２００へ自動的に送信する（ステップＳ７）。
【００５３】
ステップＳ８：
施錠依頼メール１５２を受信すると、セキュリティセンター２００は、施錠指示信号２６２を鍵ユニット３００へ自動的に送信する。鍵ユニット３００は、施錠指示信号２６２を受信すると、錠３０１を施錠する。
【００５４】
ステップＳ９：
セキュリティセンター２００は、錠３０１が施錠されたことを示す施錠通知メール２５２を携帯端末１００へ自動的に送信する。携帯端末１００は、施錠通知メール２５２を受信する。ユーザーは、施錠通知メール２５２により、錠３０１を閉め忘れていたことと、錠３０１が施錠されたことを知る。
【００５５】
本発明のセキュリティ遠隔制御システム及びその方法によれば、携帯端末１００は、自装置の位置情報を監視し、登録しておいた所定の領域の外へ出た場合、状態通知依頼メール１５１や施錠依頼メール１５２を自動的に送信する。従って、ユーザーは、従来の技術のように、意識してセキュリティセンター２００へアクセスする必要がなくなる。すなわち、ユーザーは、意識することなく、外出時にセキュリティシステムを遠隔操作することが可能となる。また、施錠依頼メール１５２は、状態通知メール２５１に基づいて錠３０１が施錠されていないと判断された場合にのみ、セキュリティシステム２００へ送信される。従って、錠３０１が施錠されている状態にもかかわらず、施錠を依頼するメールを送信するという無駄が省かれる。
【００５６】
本発明のセキュリティ遠隔制御システム及びその方法によれば、錠３０１の解錠操作は行われない。従って、携帯端末１００が盗難に逢っても、住宅などに侵入される恐れはない。
【００５７】
本発明のセキュリティ遠隔制御システム及びその方法によれば、電子メール（１５１、１５２、２５１、２５２）が、携帯端末１００とセキュリティセンター２００の間でやり取りされる。従って、ユーザーは、セキュリティサービスのための特殊な制御信号を発信する携帯端末を購入する必要はない。すなわち、サービス業者と契約しさえすれば、ユーザーは既存の携帯端末１００を用いてセキュリティサービスをうけることができる。状態通知依頼メール１５１や施錠依頼メール１５２は、サービス業者が提案するフォーマットに従って作成される。例えば、「件名」の欄に、「施錠状態確認」や「施錠依頼」といったキーワードが入力される。ユーザー（顧客）の確認には、例えば携帯端末１００のメールアドレスが使用される。また、サービス業者あるいはユーザーが設定するパスワードをメール本文に書いておくなどの規定が設けられてもよい。このように、電子メールは自由度が高く、ユーザーは、サービス業者の変更、サービス業者が提案するフォーマットの変更、サービスの追加などにも容易に対応することが可能となる。また、一通の電子メールによって、特定位置における複数の錠３０１を別々に制御することも可能である。
【図面の簡単な説明】
【００５８】
【図１】図１は、本発明のセキュリティ遠隔制御システムの構成を示す概略図である。
【図２】図２は、本発明のセキュリティ遠隔制御システムにおける、携帯端末の構成を示すブロック図である。
【図３】図３は、本発明のセキュリティ遠隔制御システムにおける、セキュリティセンターの構成を示すブロック図である。
【図４】図４は、本発明のセキュリティ遠隔制御システムにおける、鍵ユニットの構成を示すブロック図である。
【図５】図５は、本発明のセキュリティ遠隔制御方法を示すフローチャートである。
【符号の説明】
【００５９】
１００    携帯端末
１５１    状態通知依頼メール
１５２    施錠依頼メール
２００    セキュリティセンター
２５１    状態通知メール
２５２    施錠通知メール
２６１    状態確認信号
２６２    施錠指示信号
３００    鍵ユニット
３０１    錠
３６１    結果信号
４００    インターネット
【図１】
2005155205.tif 000003
【図２】
2005155205.tif 000004
【図３】
2005155205.tif 000005
【図４】
2005155205.tif 000006
【図５】
2005155205.tif 000007